(57)【要約】      （修正有）【課題】宝飾石ケースに挿入された宝飾石の着脱を特別な工具も必要とせず、簡単に行える事により、希望する色や品質など、ほかの宝飾石を自由に選び、交換が出来るという、今までに無い宝飾品の楽しみ方が可能な宝飾石着脱機能の付いた宝飾石ケースを提供する。【解決手段】宝飾石ケースＸの構造により、内部に収納される宝飾石１を、ケース上部の孔部に棒状の固定棒８を挿入する事によって、宝飾石ケースＸの固定が可能で、抜き去る事によって、宝飾石ケースＸを開き、宝飾石１の着脱を簡単に行う事を特徴とする、宝飾石着脱機能の付いた宝飾石ケースである。【選択図】図３
2007313298.tif 000002
【特許請求の範囲】
【請求項１】
窓となる開口部を具備した開閉するケースの内部に石座溝を備え、この開閉するケースを閉じることによって、該石座溝に置かれた宝飾石を該開閉するケースが協働して前記宝飾石の縁部を固定するとともに、該開閉するケースを閉じたときに側面から互いのケースを貫通する貫通孔が該開閉するケース上部に形成される開閉ケースと、前記貫通孔に貫通した状態で隙間無く挿入される直棒状の固定棒と、この固定棒の両端部に設けられた結合部を介して接続される可動性を有する連結具が連結されて円環状をなす円環状吊り下げ具とからなり、前記開閉ケースを閉じた状態において前記窓から内部に収納された宝飾石を見せると共に、前記貫通孔に前記固定棒が位置することにより該ケースは閉じた状態を保ち、前記貫通孔に前記連結具が位置するときには前記ケースは自在に開閉でき、内部に固定された宝飾石を取り外すことを特徴とする宝飾石ケース。
【請求項２】
前記石座溝には宝飾石に換えて、この宝飾石を固定した補助ケースを置いてなることを特徴とする請求項１記載の宝飾石ケース。
【請求項３】
前記開閉ケースは正面から見て前後に開閉するものであり、前記石座部は、前記開閉ケースを閉じる事によって前記開口部の内部周辺に形成される溝であり、前記貫通孔は、前記開閉ケース双方より突出したカギ状の爪部を有し、この貫通孔の内部に前記円環状吊り下げ具の固定棒が挿入される事によって、双方ともカギ状の爪が前記固定棒に引っかかり、前記開閉ケースは閉じた状態を保つことを特徴とする請求項１または請求項２記載の宝飾石ケース。
【請求項４】
前記開閉ケースは正面から見て左右に開閉するものであり、前記石座溝は、開口部の内部周辺に設けられている溝が前記開閉ケースを左右から閉じる事によって形成されるものであり、前記貫通孔は、前記開閉ケース双方に設けられた貫通する孔部で、該開閉ケースを閉じたときに側面から同軸上に貫通する孔部であることを特徴とする請求項１または請求項２記載の宝飾石ケース。
【請求項５】
前記開閉ケースの上部に設けられた切り込みを有する孔部から、挿入された前記固定棒が抜けない様に、固定棒より大きな結合部を両端に設け、前記結合部の角度を変える事により、前記固定棒の抜け落ちを防ぐことを特徴とする請求項１ないし請求項４、及び請求項６のいずれかに記載の宝飾石ケース。
【請求項６】
前記宝飾石ケース上部に設けられた横に貫通する孔部に、固定棒が挿入された状態において結合され、前記孔部より抜き出すことによって、２つに離れる固定棒を有する事を特徴とする請求項１ないし請求項５のいずれかに記載の宝飾石ケース。
【請求項７】
請求項１における宝飾石ケースの開閉機能をなくし、開口部及び石座溝が上方に開放され、上部より宝飾石を挿入し、上部に設けられた貫通する孔部に固定棒を挿入して、宝飾石の抜け落ちを防ぐことを特徴とする宝飾石ケース。
【発明の詳細な説明】
【技術分野】
【０００１】
本発明は、宝飾石ケース及びその補助ケースに関する。
【背景技術】
【０００２】
従来、宝飾石（以後石という）の着脱においては、石を交換可能にするため、装着部に弾性体を使用する物（例えば、特許文献１を参照）や、石を交換する為、磁石及び、スナップあるいはネジ等を用いる物（例えば、特許文献２を参照）。あるいは石及び、装飾物を装着する際に、吊り下げる事により紐体に連係されている檻状のケースが閉じられる物（例えば、特許文献３を参照）はあった。
【０００３】
【特許文献１】特開２００２−５８５１２
【特許文献２】特開平８−３８２２４
【特許文献３】特開平１０−１７４６１０
【発明の開示】
【発明が解決しようとする課題】
【０００４】
特許文献１の物にあっては、石が本体の凹部にある弾性体によって固定されるため、使用される弾性体は長期に渡ると劣化したりする恐れがある。
【０００５】
特許文献２の物にあっては、石を磁石、あるいはスナップやネジによって固定するため、緩んだり、取り付けや取り外しに手間がかかったりする。
【０００６】
特許文献３の物にあっては、石や宝飾物を檻状のケースに入れると、正面を向かせることが出来ないという問題点があった。
【０００７】
本発明は、上記問題点を解決するために成されたもので、石を押さえる部分が劣化するといった恐れが無く、確実な着脱が可能で、正面に位置を決める事の出来る、宝飾石着脱機能の付いた宝飾石ケース及びその補助ケースを提供するものである。
【０００８】
本発明の前記ならびにその他の目的と新規な特徴は次の説明を添付図面と照らし合わせて読むと、より完全に明らかになるであろう。
ただし、図面は解説のためのものであって、本発明の記述的範囲を限定するものではない。
【課題を解決するための手段】
【０００９】
上記目的を達成する為に本発明の宝飾品は、窓となる開口部を具備した開閉するケースの内部に石座溝を備え、この開閉するケースを閉じることによって、該石座溝に置かれた宝飾石を該開閉するケースが協働して前記宝飾石の縁部を固定するとともに、該開閉するケースを閉じたときに側面から互いのケースを貫通する貫通孔が該開閉するケース上部に形成される開閉ケースと、前記貫通孔に貫通した状態で隙間無く挿入される直棒状の固定棒と、この固定棒の両端部に設けられた結合部を介して接続される可動性のチェーンが連結されて円環状をなす円環状吊り下げ具とからなり、前記開閉ケースを閉じた状態において、前記開口部から内部に収納された宝飾石を見せると共に、前記貫通孔に前記固定棒が位置することにより該ケースは閉じた状態を保ち、前記貫通孔に前記チェーンが位置するときには前記ケースは自在に開閉でき、内部に固定された宝飾石を取り外すことを特徴とする宝飾石ケースを構成している。
【００１０】
また、第２の課題解決手段は、前記石座溝には宝飾石に換えて、この宝飾石を固定した補助ケースを置いてなることを特徴とする請求項１記載の宝飾石ケースを構成している。
【００１１】
また、第３の課題解決手段は、前記開閉ケースは正面から見て前後に開閉するものであり、前記石座溝は、前記開閉ケースを閉じる事によって前記窓の内部周辺に形成される溝で、前記貫通孔は、前記開閉ケース双方より突出したカギ状の爪部を有し、この貫通孔の内部に前記円環状吊り下げ具の固定棒が隙間無く挿入される事によって、双方ともカギ状の爪が前記固定棒に引っかかり、前記開閉ケースは閉じた状態を保つことを特徴とする請求項１または請求項２記載の宝飾石ケースを構成している。
【００１２】
また、第４の課題解決手段は、前記開閉ケースは正面から見て左右に開閉するものであり、前記石座溝は、開口部の内部周辺に設けられているため、前記開閉ケースを左右から閉じる事によって形成されると供に、前記開閉ケース双方に設けられた貫通する孔部が、同軸上で１つに形成され、前記円環状吊り下げ具の固定棒が隙間無く挿入することによって、固定されることを特徴とする請求項１または請求項２記載の宝飾石ケースを構成している。
【００１３】
また、第５の課題解決手段は、前記開閉ケースの上部に設けられた切り込みを有する孔部より、隙間無く挿入された固定棒が抜けない様に、固定棒より大きな結合部を両端に設け、前記結合部の角度を変える事により、固定棒の抜け落ちを防ぐことを特徴とする請求項１ないし請求項４、および請求項６のいずれかに記載の宝飾石ケースを構成している。
【００１４】
また、第６の課題解決手段は、前記宝飾石ケース上部に設けられた横に貫通する孔部に、固定棒が隙間無く挿入された状態において結合され、前記孔部より抜き出すことによって、２つに離れる固定棒を有する事を特徴とする請求項１ないし請求項５のいずれかに記載の宝飾石ケースを構成している。
【００１５】
また、第７の課題解決手段は、請求項１における宝飾石ケースの開閉機能をなくし、上部に開放された開口部及び石座溝より宝飾石を挿入し、ケース上部に設けられた、切り込みの上部が開放した貫通する孔部に、切り込みを通過する結合部を持つ固定棒を隙間無く挿入することにより、宝飾石の抜け落ちを防ぐことを特徴とする宝飾石ケースを構成している。
【発明の効果】
【００１６】
本第１の発明においては、宝飾石ケース上部に形成される貫通した孔部に、隙間無く固定棒を入れると、双方の曲がりが引っ掛かって固定され、抜くと孔部に残されたチェーンが、双方の爪の曲がりの間から外れて、前後に開く事により、希望する色や品質など、ほかの宝飾石を自由に選び、交換が出来るといった、今までに無い多様な選択肢が広がる。
【００１７】
第２の発明においては、宝飾石ケース上部側面に設けられた貫通した孔部に、隙間無く固定棒を入れると、開かず固定され、抜くと孔部の中に残されたチェーンが、自由に可動する事によって、下部のヒンジを中心に左右に開く事により、希望する色や品質など、ほかの宝飾石を自由に選び、交換が出来るといった、今までに無い多様な選択肢が広がる。
【００１８】
第３の発明においては、宝飾石ケース上部の貫通する孔部に切り込みを設け、隙間無く挿入される固定棒の端に設けられた可動する結合部が切り込みを通過後に角度が変わる事により、前記固定棒の抜け落ちを防ぐため、より安全な固定が出来る。
【００１９】
第４の発明においては、小さな宝飾石を補助ケースに挟むことによって、宝飾石ケースに使用出来なかった大きさの宝飾石に交換出来るため、今までに使用出来なかった宝飾石の選択肢が広がる。
【００２０】
第５の発明においては、宝飾石ケースを閉じた状態を保つため、隙間無く挿入された固定棒を、ケース外部に抜き出す事によって固定棒が２つに別れる為、チェーンを分離するための連結具を必要とせずに吊り下げることが出来る。
【００２１】
第６の発明においては、請求項１における宝飾石ケースの開閉機能をなくし、上部に開放された開口部及び石座溝より宝飾石を挿入し、上部に設けられた貫通する孔部に可動する結合部を持つ固定棒を隙間無く挿入することにより、宝飾石の抜け落ちを防ぐため、ケースの構造を簡素化したうえに、より安全な固定を可能にして、宝飾石を自由に選び、交換が出来るといった、今までに無い多様な選択肢が広がる。
【発明を実施するための最良の形態】
【００２２】
以下、図面に示す発明を実施するための最良の形態により本発明を詳細に説明する。
【００２３】
図１ないし図３の本発明を実施するための最良の第1の形態において、宝飾石ケース（Ａ）は、前面の石座溝（７ａ）を有する前部宝飾石ケース（２）と、後面の石座溝（７ｂ）を有する後部宝飾石ケース（２ａ）とを低部にて開閉用のヒンジ（３）で結合した宝飾石収納ケース（Ｘ）と、このケース部を吊り下げるための円環状の吊り下げ具（Ｙ）とで構成されている。
【００２４】
宝飾石収納ケース（Ｘ）は前部宝飾石ケース（２）と後部宝飾石ケース（２ａ）の各々の上部には、閉じたときに貫通した孔部（４）を作る為の溝（４ａ）（４ｂ）と、互いに溝の局面が上部中心より大きく孔部（４）を巻き込むように延長する爪部（５）（５ａ）が設けてある。
【００２５】
吊り下げ具（Ｙ）は、宝飾石収納ケース（Ｘ）の貫通孔（４）に貫通した状態で用いられ、固定棒（８）の両端に設けられた結合部（１０）を介して屈曲性のある部材であるチェーン（９）が連結された円環状のものである。尚、図示していないが、チェーン（９）は中間で分離できるように、引き輪やフックといった連結具で連結されている。
【００２６】
本発明は以上のような構造により、閉じた状態では双方の溝（４ａ）（４ｂ）が貫通した孔部（４）を作ると共に宝飾石（１）は開口部（６）の内部に設けられた溝（７）によって収納される。更に相対する（５）（５ａ）の爪部が前後より閉じる事によって、上部に出来る円柱状の孔部（４）の上部分は、曲面の半分が互いに中心を越えて形成されている為、固定棒（８）が隙間無く挿入される事により、双方の爪部が引っ掛かり、宝飾石収納ケース（Ｘ）は開かなくなる。
【００２７】
図１は、宝飾石収納ケース（Ｘ）に宝飾石（１）が収納され、吊り下げ具（Ｙ）の固定棒（８）によって固定された状態の正面図である。
図２は図１の、Ｂ−Ｂ線における要部端面図であり、宝飾石（１）の縁部が前面の石座溝（７ａ）と後面の石座溝（７ｂ）で形成される石座溝（７）に収納され、円柱状の孔部（４）に隙間無く挿入された固定棒（８）の上部を、爪部（５）が中心を越えて固定されている。
図３は、固定棒（８）が引き出され、開放状態にある斜視図であり、孔部（４）に残された固定棒（８）に連結するチェーンは自在に変形し、宝飾石収納ケース（Ｘ）を前後に開くと爪部（５）（５ａ）の下方に設けられた間隙より、完全に外れるので、前部宝飾石ケース（２）と、後部宝飾石ケース（２ａ）は完全に開き、宝飾石（１）を外すことができる。
【００２８】
次に図４ないし図６に示す、本発明を実施するための異なる形態につき説明する。なお、これらの本発明を実施するための異なる形態の説明に当たって、前記発明を実施するための最良の第１の形態と同一構成部分には同一符号を付して重複する説明を省略する。
【００２９】
（実施の形態２）
前記本発明を実施するための最良の第１の形態と主に異なる点は、宝飾石収納ケース（Ｘ）を左右に分割した点であり、これに伴って貫通する孔部（４）の形状が単純構造になった点である。
【００３０】
図中、宝飾石ケース（Ａ）は、右の石座溝（７ｄ）を有する右部宝飾石ケース（２ｃ）と、左の石座溝（７ｃ）を有する左部宝飾石ケース（２ｂ）、及び低部に左右開閉用のヒンジ（３ａ）を設け、上部にはそれぞれ貫通した孔部（４）持つ宝飾石収納ケース（Ｘ）と、前記吊り下げ具（Ｙ）で構成されており、宝飾石収納ケース（Ｘ）を閉じたとき、上部を貫通した孔部（４）は同軸上に連続する貫通した孔部を形成し、固定棒（８）が隙間無く挿入される事によって、左右に開かないように固定される。
【００３１】
また、図５に示すように、貫通した孔部（４）より固定棒（８）が抜かれると、図６に示すように、貫通した孔部（４）の中に残されたチェーン（９）が、自在に可動する為、宝飾石収納ケース（Ｘ）が左右に開いた状態となる。即ち、前記第１の実施の形態と異なる点は、内部の固定棒（８）が爪部（５）（５ａ）の曲がりで引っかかるのでは無く、貫通した孔部（４）が固定棒（８）と同形状のために開かないので、簡単な構造でありながら、よりしっかりとした固定が可能である。
【００３２】
（実施の形態３）
次に図７ないし図９に示す、本発明を実施する為の第３の実施の形態について説明する。
【００３３】
前記本発明を実施するための最良の第１の形態と主に異なる点は、宝飾石収納ケース（Ｘ）の上部に設けられた、切り込みを持つ貫通した孔部（４ｃ）に、切り込みを通過し、固定棒（８ａ）より大きな、可動する結合部（１０ａ）を持つ固定棒（８ａ）が隙間無く挿入された後、宝飾石収納ケース（Ｘ）がぶら下がる事により、可動する結合部（１０ａ）が角度及び方向を変えることによって、宝飾石収納ケース（Ｘ）から固定棒（８ａ）が抜けなくなるので、より安全な固定が可能となる。
【００３４】
図７は実施の形態３における結合部（１０ａ）を有する固定棒（８ａ）が、宝飾石収納ケース（Ｘ）に使用された正面図である。
図８は、図７を側方より見たもので、宝飾石収納ケース（Ｘ）上部に切り込みを持つ貫通した孔部（４ｃ）が設けられており、固定棒より大きな可動する結合部（１０ａ）を有する固定棒（８ａ）が、前記貫通した孔部（４ｃ）に挿入された後に、挿入時の角度と違う状態でぶら下がった状態の側面図である。
図９は、宝飾石収納ケース（Ｘ）上部の、切り込みを持つ貫通した孔部（４ｃ）から、可動する結合部（１０ａ）を有する固定棒（８ａ）を、前記切り込み部と前記結合部の角度を合わせ、横方向に抜いた状態の斜視図である。
【００３５】
（実施の形態４）
次に図１０ないし図１２に示す、本発明を実施する為の第４の実施の形態について説明する。
【００３６】
前記本発明を実施するための最良の第１の形態と主に異なる点は、宝飾石収納ケース（Ｘ）に、補助ケース（１１）を間接的に用いて、小さな宝飾石（１ａ）を使用可能にするもので、装着される補助ケース（１１）は、前部補助ケース（１１ａ）と後部補助ケース（１１ｂ）からなり、ともに前後に貫通する開口部（６ａ）を有し、開口部の内側に宝飾石の縁部を収納する為の石座溝（７ｅ）と（７ｆ）を設け、前後より宝飾石を挟み込んで装着する。更に、前部レール（１２ａ）と後部レール（１２ｂ）が合わさる事で、完成するレール（１２）は、宝飾石ケースの石座溝（７）に装着される事により、小さな宝飾石（１ａ）も使用が可能となる。
【００３７】
図１０は、本実施の形態４における正面図であり、図１１は図１０のＣ−Ｃ線における要部端面図である。
図１２は、より小さな宝飾石（１ｂ）を３個、その他の補助ケース（１１ｃ）に入れた状態の斜視図である。
尚、図示していないが、宝飾石の形に開口部（６ａ）を合わせることによって、違う形の宝飾石も使用を可能とする。
【００３８】
（実施の形態５）
次に図１３ないし図１５に示す、本発明を実施する為の第５の実施の形態について説明する。
【００３９】
前記本発明を実施するための最良の第１の形態と主に異なる点は、宝飾石収納ケース（Ｘ）の貫通した孔部（４）に隙間無く挿入された固定棒（８）が、貫通した孔部（４）から抜く事によって、左の固定棒（８ｃ）と右の固定棒（８ｂ）の左右に分割される点である。
左の固定棒（８ｃ）と右の固定棒（８ｂ）は、それぞれが結合した状態において貫通した孔部（４）を間隙なく満たすために、結合は孔の周囲より固定されて外れる事はない。しかし、貫通した孔部（４）から抜き出すことによって、孔の周囲からの固定が無くなり、左の固定棒（８ｃ）と右の固定棒（８ｂ）は２つに分割される。
これによって円環状をなす吊り下げ具（Ｙ）のチェーン部は、分離するための引き輪やフックといった連結具を必要とせずに装着し、吊り下げることが出来る。
【００４０】
図１３は宝飾石収納ケース（Ｘ）上部に設けられた貫通した孔部（４）に、固定棒（８）が隙間なく挿入された状態の正面から見た透視図である。
図１４は、宝飾石収納ケース（Ｘ）上部に設けられた貫通した孔部（４）から、固定棒（８）が抜かれた状態の斜視図である。
図１５は固定棒（８）が、左の固定棒（８ｃ）と右の固定棒（８ｂ）の左右に分かれた状態の正面図である。
【００４１】
（実施の形態６）
次に図１６ないし図１８に示す、本発明を実施する為の第６の実施の形態について説明する。
【００４２】
前記本発明を実施するための最良の第１の形態と主に異なる点は、請求項１における宝飾石ケースの開閉機能をなくし、ケースの構造を単純にしたことである。
【００４３】
宝飾石（１）を見せるための、上方に開放する開口部（６ｂ）を持ち、開口部（６ｂ）の中央に設けられた石座溝（７ｇ）により、宝飾石（１）を挿入すると供に内部へと固定し、ケース上部に設けられた、切り込みの上部が上方に開放された貫通する孔部（４ｃ）を有する、ケース（２ｄ）と、切り込みを通過し、固定棒（８ａ）より大きな、可動する結合部（１０ａ）を持つ固定棒（８ａ）及び、円環状のチェーンの途中に、貫通する孔部（４ｃ）の上方に開放された切り込みから、上方へと抜き出す事の可能な厚みのプレート（１３）を設けた吊り下げ具（Ｙ）から構成されている。
【００４４】
ケース（２ｄ）は、上方に開放された石座溝（７ｇ）より宝飾石（１）を挿入し、上部に設けられた貫通する孔部（４ｄ）に固定棒（８ａ）を隙間無く挿入して該宝飾石の抜け落ちを防ぐ。
上部に設けられた切込みのある貫通した孔部（４ｄ）の切り込みに、可動する結合部（１０ａ）を合わせて固定棒（８ａ）を側方に引き抜く事でケース（２ｄ）より抜き去り、貫通した孔部（４ｄ）の上方に開放した切り込みより、チェーン途中に設けられたプレート（１３）を上部方向に取り外すことにより、宝飾石（１）をケース（２ｄ）内部より、抜き取ることを可能とする。
【００４５】
図１６はケース（２ｄ）に、宝飾石（１）が挿入され、上部に設けられた切り込みのある貫通した孔部（４ｄ）に固定棒（８ａ）が挿入された状態の正面図である。
固定棒（８ａ）は結合部（１０ａ）によってチェーン（９）に連結し、該チェーンの途中にはプレート（１３）が設けられている。
図１７はケース（２ｄ）から、吊り下げ具（Ｙ）を取り外し、宝飾石（１）が石座溝（７ｇ）によって固定された状態を、上方より見た図である。
図１８はケース（２ｄ）から全てを取り外した状態の斜視図である。
図１９はケース（２ｄ）からチェーン（９）に連結されたプレート（１３）が、上部に開放された切込みから矢印の方向へと外される状態の正面図である。
【図面の簡単な説明】
【００４６】
【図１】第１の実施の形態における正面図
【図２】図１のＢ−Ｂ線における要部端面図
【図３】第１の実施の形態における、開いた状態の斜視図
【図４】第２の実施の形態における正面図
【図５】第２の実施の形態における斜視図
【図６】第２の実施の形態における、開いた状態の正面から見た透視図
【図７】第３の実施の形態における正面図
【図８】第３の実施の形態における側面図
【図９】第３の実施の形態における斜視図
【図１０】第４の実施の形態における正面図
【図１１】図１０のＣ−Ｃ線における要部端面図
【図１２】第４の実施の形態における、他の実施例の斜視図
【図１３】第５の実施の形態における正面から見た透視図
【図１４】第５の実施の形態における斜視図
【図１５】第５の実施の形態における、固定棒の正面図
【図１６】第６の実施の形態における、正面図
【図１７】第６の実施の形態における、上方より見た図
【図１８】第６の実施の形態における、斜視図
【図１９】第６の実施の形態における、プレートを外す状態の正面図
【符号の説明】
【００４７】
Ａ、宝飾石ケース
Ｘ、宝飾石収納ケース
１、１ａ、１ｂ、宝飾石
２、２ａ、２ｂ、２ｃ、２ｄ、ケース部
３、３ａ、ヒンジ
４、４ｃ、４ｄ、孔部
４ａ、４ｂ、溝
５、５ａ、爪部
６、６ａ、６ｂ、開口部
７、７ａ、７ｂ、７ｃ、７ｄ、７ｅ、７ｆ、７ｇ、石座溝
Ｙ、吊り下げ具
８、８ａ、８ｂ、８ｃ、固定棒
９、チェーン
１０、１０ａ、結合部
１１、１１ａ、１１ｂ、１１ｃ、補助ケース
１２、１２ａ、１２ｂ、レール
１３、プレート
【図１】
2007313298.tif 000003
【図２】
2007313298.tif 000004
【図３】
2007313298.tif 000005
【図４】
2007313298.tif 000006
【図５】
2007313298.tif 000007
【図６】
2007313298.tif 000008
【図７】
2007313298.tif 000009
【図８】
2007313298.tif 000010
【図９】
2007313298.tif 000011
【図１０】
2007313298.tif 000012
【図１１】
2007313298.tif 000013
【図１２】
2007313298.tif 000014
【図１３】
2007313298.tif 000015
【図１４】
2007313298.tif 000016
【図１５】
2007313298.tif 000017
【図１６】
2007313298.tif 000018
【図１７】
2007313298.tif 000019
【図１８】
2007313298.tif 000020
【図１９】
2007313298.tif 000021